(57)【要約】【課題】連続予約録画を実行する場合にユーザの予約録画の設定を簡易にする光ディスク装置を提供する。【解決手段】ユーザがリモコン等を操作することにより予約録画モードに設定される（ステップＳ０）。制御部は、ステップＳ１において連続予約録画が選択されたと判断した場合には、連続予約優先設定画面を表示する（ステップＳ２）。次に予約録画優先がいずれであるかを判断する（ステップＳ３）。ステップＳ３において、Ｐが選択される場合には、一つ目の予約録画を優先予約録画に設定する。そして、二つめの予約録画を非優先予約録画に設定する（ステップＳ４）。一方、Ｑが選択される場合には、二つ目の予約録画を優先予約録画に設定する。そして、一つめの予約録画を非優先予約録画に設定する（ステップＳ５）。そして、制御部は、非優先予約録画に設定された予約録画の時刻を変更して設定する（ステップＳ６およびステップＳ７）。【選択図】図２
2008160559.tif 000002
【特許請求の範囲】
【請求項１】
予約録画機能を備えた光ディスク装置であって、
予約録画機能により予約録画を希望する番組の録画開始時刻および録画終了時刻を入力する入力部と、
前記予約録画を実行するために前記入力部により入力された前記予約録画の録画開始時刻および録画終了時刻を設定するための制御部とを備え、
前記制御部は、前記予約録画機能により前記第１の予約録画の次に入力された第２の予約録画の録画開始時刻および録画終了時刻の入力があった場合には、前記第２の予約の録画開始時刻と録画終了時刻の一方と前記第１の予約録画の録画開始時刻および録画終了時刻とが一致するか否かを判断し、判断結果に基づいて前記第１および第２の予約録画のいずれか一方を優先予約に設定するための選択画面を表示し、
前記入力部は、前記選択画面において前記第１および第２の予約録画のいずれか一方を選択するための入力操作キーを有し、
前記制御部は、前記入力操作キーの選択指示に応答して前記第１および第２の予約録画のうちの選択された予約録画を優先予約録画に設定し、他方を非優先予約録画に設定し、
前記制御部は、前記優先予約録画に設定された予約録画については、対応する入力された録画開始時刻および前記録画終了時刻を設定し、前記非優先予約録画に設定された予約録画については、対応する入力された録画開始時刻および録画終了時刻のいずれか一方を変更して設定する、光ディスク装置。
【請求項２】
予約録画機能を備えた光ディスク装置であって、
前記予約録画機能により予約録画を希望する番組の録画開始時刻および録画終了時刻を入力する入力部と、
前記予約録画を実行するために前記入力部により入力された前記予約録画の録画開始時刻および録画終了時刻を設定するための制御部とを備え、
前記制御部は、前記予約録画機能により前記第１の予約録画の次に入力された第２の予約録画の録画開始時刻および録画終了時刻の入力があった場合には、前記第２の予約の録画開始時刻と録画終了時刻の一方と前記第１の予約録画の録画開始時刻および録画終了時刻とが一致するか否かを判断し、判断結果に基づいて前記第１および第２の予約録画のいずれか一方を優先予約に設定するための選択画面を表示する、光ディスク装置。
【請求項３】
前記入力部は、前記選択画面において前記第１および第２の予約録画のいずれか一方を選択するための入力操作キーを有し、
前記制御部は、前記入力操作キーの選択指示に応答して前記第１および第２の予約録画のうちの選択された予約録画を優先予約録画に設定し、他方を非優先予約録画に設定する、請求項２記載の光ディスク装置。
【請求項４】
前記制御部は、前記優先予約録画に設定された予約録画については、対応する入力された録画開始時刻および前記録画終了時刻を設定し、前記非優先予約録画に設定された予約録画については、対応する入力された録画開始時刻および録画終了時刻のいずれか一方を変更して設定する、請求項３記載の光ディスク装置。
【発明の詳細な説明】
【技術分野】
【０００１】
本発明は、予約録画機能を備えた光ディスク装置に関する。
【背景技術】
【０００２】
ＤＶＤ−ＲやＤＶＤ−ＲＷといった録画可能な光ディスク媒体（以下、光ディスク）が普及してきており、これらの光ディスクに家庭で簡単に映画等を録画できる家庭用ＤＶＤレコーダも同様に普及してきている。
【０００３】
これらの光ディスクは容量が大きく、１〜２時間程度の映画、テレビ番組等を数タイトル録画することが可能である。
【０００４】
この点で、種々の予約録画機能を備えた光ディスク装置が開発され、例えば、予約録画が重複するような場合には、優先度の高いあるいは低いにより予約録画を実行する方式等が採用されており、その優先度の決め方に関しても種々の方式が提案されている（特許文献１および特許文献２参照）。
【特許文献１】特開２００５−２１７７３８号公報
【特許文献２】特開２００６−３３１１９号公報
【発明の開示】
【発明が解決しようとする課題】
【０００５】
一方で、上記文献においては、予約録画において重複録画が行なわれるような場合具体的には、予約時間が重複するような場合について開示されているが、例えば予約録画が重複しない場合例えばある予約録画が終了してすぐに次の予約録画が実行されるような場合（本例においては連続予約録画と称する）については何ら規定していない。
【０００６】
図４は、連続予約録画の例を説明する図である。
図４に示されるように、例えば予約ＲＡについて予約開始時刻および予約終了時刻が「１２：００」および「１３：００」に設定され、次に予約ＲＢについて予約開始時刻および予約終了時刻が「１３：００」および「１４：００」に設定された場合について考える。すなわち、予約ＲＡの予約終了時刻と予約ＲＢの予約開始時刻とが同一時刻である場合である。ユーザがこのような予約録画を指定する場合、ユーザは、予約ＲＡについては時刻１２：００から予約録画が始まり、そして、時刻１３：００になったと同時に予約ＲＢの予約録画が開始されるものと期待することになる。すなわち、この場合には、重複録画は行なわれず、ユーザは、予約ＲＡおよび予約ＲＢともに予約録画を指定した時間の録画内容が全て記録されているものとして期待している。
【０００７】
しかしながら、このような連続予約録画を実行した場合、予約ＲＡから予約ＲＢへの切り替わりの際に少なくとも数秒から数十秒を要することになるためユーザの期待に反して予約ＲＡおよび予約ＲＢの録画内容の少なくとも一方の一部は欠落した状態となっている。
【０００８】
図５は、連続予約録画を実行した場合における録画内容の欠落を説明する図である。
図５を参照して、例えば予約ＲＡの録画を優先した場合、具体的には最終録画領域ＤＲＡ部分も含めて録画が実行された場合には、予約ＲＢの先頭録画領域ＤＲＢの部分が欠落して記録されることになる。あるいは、予約ＲＢの録画を優先した場合、具体的には先頭録画領域ＤＲＢの部分も含めて録画を実行した場合には、予約ＲＡの最終録画領域ＤＲＡの部分が欠落して記録されることになる。なお、ここでは、一例として最終録画領域ＤＲＡあるいは先頭録画領域ＤＲＢについて数十秒として示している。
【０００９】
これは、予約ＲＡから予約ＲＢへの切り替わりの際、予約ＲＡの録画終了時に予約ＲＡに関する制御データ（タイトル名、録画開始アドレス等々）のデータ記録を実行しなければならないことにより数十秒の欠落期間が生じることに起因している。
【００１０】
したがって、ユーザ側としては、重複録画が実行されないものとして予約録画の予約設定を実行しているにも拘わらず、装置側においては、重複録画の状況となって録画処理せざるを得ない問題が発生している。
【００１１】
それゆえ、例えば、連続予約録画を実行した場合に、予約ＲＢの先頭録画領域ＤＲＢが欠落するような状況の場合において、ユーザが予約ＲＢの先頭録画領域ＤＲＢについても録画されることを望む場合には、予約ＲＡの予約録画の予約設定をやり直して、例えば図示しないが時刻「１２：５９」を録画終了時刻に再設定する必要等操作が煩雑となるという問題が生じてくる。
【００１２】
本発明は、上記のような問題を解決するためになされたものであって、連続予約録画を実行する場合にユーザの予約録画の設定を簡易にする光ディスク装置を提供することを目的とする。
【課題を解決するための手段】
【００１３】
本発明に係る光ディスク装置は、予約録画機能を備えた光ディスク装置であって、予約録画機能により予約録画を希望する番組の録画開始時刻および録画終了時刻を入力する入力部と、予約録画を実行するために入力部により入力された予約録画の録画開始時刻および録画終了時刻を設定するための制御部とを備える。制御部は、予約録画機能により第１の予約録画の次に入力された第２の予約録画の録画開始時刻および録画終了時刻の入力があった場合には、第２の予約の録画開始時刻と録画終了時刻の一方と第１の予約の録画開始時刻および録画終了時刻とが一致するか否かを判断し、判断結果に基づいて第１および第２の予約録画のいずれか一方を優先予約に設定するための選択画面を表示する。入力部は、選択画面において第１および第２の予約録画のいずれか一方を選択するための入力操作キーを有する。制御部は、入力操作キーの選択指示に応答して第１および第２の予約録画のうちの選択された予約録画を優先予約録画に設定し、他方を非優先予約録画に設定する。制御部は、優先予約録画に設定された予約録画については、対応する入力された録画開始時刻および録画終了時刻を設定し、非優先予約録画に設定された予約録画については、対応する入力された録画開始時刻および録画終了時刻のいずれか一方を変更して設定する。
【００１４】
本発明に係る別の光ディスク装置は、予約録画機能を備えた光ディスク装置であって、予約録画機能により予約録画を希望する番組の録画開始時刻および録画終了時刻を入力する入力部と、予約録画を実行するために入力部により入力された予約録画の録画開始時刻および録画終了時刻を設定するための制御部とを備える。制御部は、予約録画機能により第１の予約録画の次に入力された第２の予約録画の録画開始時刻および録画終了時刻の入力があった場合には、第２の予約の録画開始時刻と録画終了時刻の一方と第１の予約の録画開始時刻および録画終了時刻とが一致するか否かを判断し、判断結果に基づいて第１および第２の予約録画のいずれか一方を優先予約に設定するための選択画面を表示する。
【００１５】
好ましくは、入力部は、選択画面において第１および第２の予約録画のいずれか一方を選択するための入力操作キーを有する。制御部は、入力操作キーの選択指示に応答して第１および第２の予約録画のうちの選択された予約録画を優先予約録画に設定し、他方を非優先予約録画に設定する。
【００１６】
特に、制御部は、優先予約録画に設定された予約録画については、対応する入力された録画開始時刻および録画終了時刻を設定し、非優先予約録画に設定された予約録画については、対応する入力された録画開始時刻および録画終了時刻のいずれか一方を変更して設定する。
【発明の効果】
【００１７】
本発明に係る光ディスク装置は、予約録画機能により第１の予約録画の次に入力された第２の予約録画の録画開始時刻および録画終了時刻の入力があった場合には、第２の予約の録画開始時刻と録画終了時刻の一方と第１の予約の録画開始時刻および録画終了時刻とが一致するか否かを判断し、判断結果に基づいて第１および第２の予約録画のいずれか一方を優先予約に設定するための選択画面を表示する。したがって、第１の予約録画と第２の予約録画とが同一時刻である連続予約録画を実行した場合に、予約録画の切り替わりの際に予約録画の一方の一部が欠落した状態となる場合に、いずれの予約録画を優先予約にするかの選択画面を表示することにより、ユーザは簡易に予約録画の設定を実行することができる。
【発明を実施するための最良の形態】
【００１８】
以下、本発明の実施の形態について図面を参照しながら詳細に説明する。なお、図中同一または相当部分には同一符号を付し、その説明は繰返さない。
【００１９】
図１は、本発明の実施の形態に従う光ディスク装置１の概略ブロック図である。
図１を参照して、光ディスク装置１は、ＣＤおよびＤＶＤの同心円状又は渦巻状の情報記録トラックが形成された光ディスク７０に対して、音楽や映像等の情報の記録及び／又は再生を行なう。なお、本発明の実施の形態に従う光ディスク装置はＣＤおよびＤＶＤコンパチブルの記録／再生が可能な光ディスク装置であるものとする。本発明の実施形態の光ディスク装置１は、例えばＤＶＤ−ＲあるいはＤＶＤ−ＲＷ等の書込可能な光ディスク７０に対して記録及び再生を行うものとする。また、光ディスク装置１は、録画開始時間、録画終了時間、入力ソース（テレビ番組のチャンネル）の選択等を予め設定して記憶させておくことにより、自動的に録画処理が行なわれるいわゆる予約録画機能を搭載しているものとする。
【００２０】
光ディスク装置１は、スピンドルモータ３と、光ピックアップ４と、移動モータ５と、レーザ駆動部６と、信号処理部７と、データスライス信号生成部８と、サーボ制御部（フォーカシング制御部、トラッキング制御部）９とを備える。さらに、光ディスク装置１は、映像・音声信号入出力部１０と、リモコン１１と、リモコン受信部１２と、表示部１３と、不揮発性メモリ１５と、上記各部を制御するための制御部２０とを備えている。なお、制御部２０は、上記予約録画機能を実行するためのタイマ機能も有しているものとする。なお、リモコン１１およびリモコン受信部１２とでユーザからの指示を入力する入力部を構成する。なお、本例においては、主にリモコン１１のリモコン操作による入力について主に説明するが、本体側に入力操作キー等の入力部を設けることも可能であるし、本体側およびリモコン１１ともに入力操作可能な入力部を設けることも当然に可能である。
【００２１】
光ディスクは、不図示のディスク挿入部から挿入されてディスクトレイに載置されたことが検出され、その信号が制御部２０へ入力される。なお、挿入された光ディスク７０は、スピンドルモータ３に装着される。スピンドルモータ３は、制御部２０からの指示に従い回転駆動され、装着された光ディスク７０が所定速度で回転するように制御される。
【００２２】
光ピックアップ４は、光ディスク７０に対して情報の記録及び／又は再生を行なうための光を照射すると共に、光ディスク７０からの反射光を受光して電気信号に変換出力するものであり、制御部２０からの指示に基づきリニアモータから成る移動モータ５により光ディスク７０上でその半径方向に移動される。
【００２３】
この光ピックアップ４は、半導体レーザ４１から出射された光をコリメートレンズ４２、ビームスプリッタ４３および対物レンズ４４を介して光ディスク７０上に集光照射する。また、光ディスク７０上からの反射光を対物レンズ４４、ビームスプリッタ４３、及び集光レンズ４５を介して光検知器４６で受光する。
【００２４】
半導体レーザ４１は、制御部２０からの指示に応答して動作するレーザ駆動部６によりその発光が制御される。光検知器４６は、受光面が複数の領域に分割され、受光面毎に受光強度に応じた電気信号を出力する分割フォトダイオードから構成されており、光検知器４６からの出力信号は信号処理部７に入力される。
【００２５】
対物レンズ４４は、レンズホルダ４７に保持されており、レンズホルダ４７には、フォーカシングコイル４８と、トラッキングコイル４９が設けられている。フォーカシングコイル４８は、不図示の磁石との磁気作用により、対物レンズ４４を光ディスク７０のディスク面と垂直な方向へ移動させるものである。また、トラッキングコイル４９は、同様に、対物レンズ４４を光ディスク７０のディスク面と平行に光ディスク７０の記録トラックと垂直な方向へ移動させるものである。
【００２６】
信号処理部７は、光検知器４６からの出力信号に基づいて、ＲＦ信号（反射強度）を生成し、データスライス信号生成部８へ出力する。データスライス信号生成部８は、このＲＦ信号を２値化したデータスライス信号を生成し、制御部２０へ入力する。制御部２０では、このデータスライス信号に基づいて、光ディスク７０に形成されているピットを検出する。
【００２７】
また、信号処理部７は、光検知器４６からの出力信号に基づいて、フォーカスエラー信号及びトラックエラー信号を生成し、サーボ制御部９へ出力する。フォーカスエラー信号は、対物レンズ４４を介して光ディスク７０に照射する光の集光点の光ディスク面からのずれ量に対応する信号であり、トラックエラー信号は、集光点の記録トラックからのずれ量に対応する信号である。
【００２８】
サーボ制御部９は、制御部２０からの指示により上記フォーカスエラー信号及びトラックエラー信号に基づいて、フォーカシングコイル４８及びトラッキングコイル４９への電流供給を制御して対物レンズ４４を移動させ、それにより、集光点が光ディスク７０のディスク面上、かつ、記録トラック上に位置するようにサーボ制御する。
【００２９】
映像・音声信号入出力部１０には、不図示のディスプレイやスピーカ、テレビ受像機等の外部装置が接続され、光ディスク７０から再生した映像信号や音声信号の出力や、外部装置からの映像信号や音声信号の入力が行なわれる。
【００３０】
リモコン１１は、光ディスク装置１の各種の動作を操作するためのものであり、各種の動作を操作するための操作キー（何れも不図示）を備えている。リモコン１１は、これらのキーの操作に応じて、対応する信号を赤外線信号で送出する。リモコン受信部１２は、リモコン１１から送出される赤外線信号を受信し、その信号を制御部２０へ出力する。
【００３１】
表示部１３は、光ディスク装置１本体のフロントパネルに設けられ、リモコン１１により操作された内容や光ディスク装置１の動作状況等を表示する。具体的には、録画処理、再生処理の切替え、あるいは電源オン・オフ、予約録画機能を用いた番組予約等である。そして、録画処理、再生処理等の状態表示は表示部１３において「ＲＥＣ」、「ＰＬＡＹ」等の記号で表示され、予約録画機能を用いた録画の予約操作は、例えばディスプレイの画面上に公知のＯＳＤ（Ｏｎ Ｓｃｒｅｅｎ Ｄｉｓｐｌａｙ）機能を用いて表示される録画予約項目（予約日、時間、チャンネル等）を、リモコン１１の十字キー等を操作し、画面上のカーソルを移動させて実行（キー押下）することによって行われる。なお、リモコン１１に設けられていなくても本体側に予約操作するためのキーを設けることも当然に可能である。
【００３２】
不揮発メモリ１５は、光ディスク装置１の動作において必要な各種プログラムを格納しているとともに、制御部２０における計算処理等の格納場所としても用いられる。また、予約録画機能を実行するために必要なプログラムおよびディスプレイに表示されるＯＳＤ等の情報も格納され、制御部２０により読み出されるものとする。
【００３３】
ここで、光ディスク７０に対する情報の記録／再生について説明する。まず、光ディスク７０からの情報の再生は、スピンドルモータ３により光ディスク７０を所定速度で回転させながら、半導体レーザ４１からの光を光ディスク７０に照射し、その反射光を光検知器４６で受光する。そして、サーボ制御部９により、信号処理部７からのフォーカスエラー信号に基づいてフォーカシングコイル４８への電流供給を制御して対物レンズ４４を移動させ、半導体レーザ４１からの光の集光点が光ディスク７０面上に位置するようにフォーカスオン（フォーカス引き込み）させる。さらに、サーボ制御部９により、信号処理部７からのトラックエラー信号に基づいてトラッキングコイル４９への電流供給を制御して対物レンズ４４を移動させ、半導体レーザ４１からの光の集光点が所望の記録トラック上に位置するようにトラックオン（トラック引き込み）させる。
【００３４】
フォーカスオン及びトラックオンさせた後は、サーボ制御部９により、フォーカスエラー信号及びトラックエラー信号に基づいてフォーカシングコイル４８及びトラッキングコイル４９への電流供給を制御し、フォーカスオン状態及びトラックオン状態を維持するようにフォーカシングサーボ制御及びトラッキングサーボ制御が行なわれる。
【００３５】
そして、このサーボ状態で信号処理部７から出力されたＲＦ信号がデータスライス信号生成部８に入力され、データスライス信号生成部８によりＲＦ信号を２値化して生成されたデータスライス信号が制御部２０に入力される。制御部２０は、このデータスライス信号を基に光ディスク７０に形成されているピットの有無を検出して光ディスク７０に記録されている情報を読取り、読取った情報を映像信号や音声信号に再生して、映像・音声信号入出力部１０から外部装置へ出力する。
【００３６】
また、光ディスク７０への情報の記録は、同様に、フォーカシング及びトラッキングのサーボ状態で、半導体レーザ４１からの光により光ディスク７０上にピットを形成することにより行なわれる。このとき、映像・音声信号入出力部１０から入力された映像信号や音声信号が制御部２０により符号化され、半導体レーザ４１が、制御部２０による制御のもと、その符号化データに応じて発光制御される。これにより、その符号化データに応じたピットが光ディスク７０の記録トラックに形成され、映像や音声の情報が記録される。ピットの形成は、半導体レーザ４１を情報の読取り時よりも高出力で発光させることにより可能としている。
【００３７】
以下、本発明の実施の形態に従う予約録画について説明する。
図２は、本発明の実施の形態に従う予約録画モードにおいて、連続予約録画が選択された場合の制御部２０の処理を説明するフロー図である。
【００３８】
図２を参照して、ユーザがリモコン１１等を操作することにより予約録画モードに設定される（ステップＳ０）。なお、予約録画モードは、ユーザがリモコン１１等を操作して予約録画機能の実行を指示した場合に当該モードに設定されるものとする。例えば、ユーザが図示しないがリモコン１１等に設けられた予約録画釦等を押下することにより当該機能が実行され、リモコン１１等を操作して指示した録画日時、録画開始時間、録画終了時間、入力ソース（テレビ番組のチャンネル）および記録画質（録画品質）等の入力による予約録画の予約内容の登録が可能であるものとする。そして、ユーザからの指示に基づいて予約録画の予約内容の登録が行なわれて制御部２０に内蔵されたメモリ等に登録された内容が格納されるものとする。そして、予約録画により設定された時刻に予約録画の予約内容に従って録画が実行されるものとする。通常の予約録画については、一般的な技術であるため本例においては、特に連続予約録画、具体的には、ある予約録画が終了してすぐに次の予約録画が実行されるような予約録画が選択された場合について説明する。
【００３９】
まず、ステップＳ１において、連続予約録画が選択されたかどうかを判定する。
ステップＳ１における連続予約録画が選択されたかどうかの判定は、制御部２０が、メモリ２０に登録されている予約録画の予約内容と新たに登録される予約録画の予約内容とを比較参照することにより行なわれる。一例として図４で説明した内容を用いて説明する。
【００４０】
例えば、まずユーザが予約ＲＡについて予約開始時刻および予約終了時刻がそれぞれ「１２：００」および「１３：００」となるように登録し、次に予約ＲＢについて予約開始時刻および予約終了時刻がそれぞれ「１３：００」および「１４：００」となるように登録した場合について考える。
【００４１】
この場合、制御部２０は、最初に登録された予約ＲＡと次に登録された予約ＲＢとについて、その予約開始時刻および予約終了時刻のいずれか一方が一致するか否かを判断する。この例の場合には、予約ＲＡの予約終了時刻「１３：００」と、予約ＲＢの予約開始時刻「１３：００」とが一致する場合であるから連続予約録画選択であるものと判定する。
【００４２】
そして、この場合、上述したように予約ＲＡから予約ＲＢへの切り替わりの際、予約ＲＡの録画終了時に予約ＲＡに関する制御データ（タイトル名、録画開始アドレス等々）のデータ記録を実行しなければならないことにより数十秒の欠落期間が生じることになる。
【００４３】
次に、制御部２０は、ステップＳ１において連続予約録画が選択されたと判断した場合には、連続予約優先設定画面を表示する（ステップＳ２）。そして、ステップＳ３に進む。
【００４４】
図３は、本発明の実施の形態に従う連続予約優先設定画面を説明する図である。
図３に示されるように２つの項目が表示されている。ここでは、一例として「Ｐ」、「Ｑ」の２つの項目が表示されている。項目「Ｐ」については、一つ目の予約録画優先、項目「Ｑ」については、二つ目の予約録画優先と示されている。例えば、ここでは、一つ目の予約録画優先が予約ＲＡに対応し、二つ目の予約録画優先が予約ＲＢに対応するものとする。そして、「ＰかＱを選択してください」と表示されて、いずれの予約録画を優先するかを選択可能な項目が示されている。例えばユーザは、リモコン１１等を操作することにより、「Ｐ」あるいは「Ｑ」を選択していずれの予約録画を優先させるかを選択可能であるものとする。
【００４５】
再び、図２を参照して、次に予約録画優先がいずれであるかを判断する（ステップＳ３）。ステップＳ３において、項目Ｐが選択される場合には、一つ目の予約録画を優先予約録画に設定する。そして、二つめの予約録画を非優先予約録画に設定する（ステップＳ４）。一方、Ｑが選択される場合には、二つ目の予約録画を優先予約録画に設定する。そして、一つめの予約録画を非優先予約録画に設定する（ステップＳ５）。
【００４６】
そして、制御部２０は、非優先予約録画に設定された予約録画の時刻を変更して設定する（ステップＳ６およびステップＳ７）。
【００４７】
したがって、ユーザ側としては、重複録画が実行されないものとして予約録画の予約設定を実行しているにも拘わらず、装置側においては、重複録画の状況となって録画処理せざるを得ないような連続予約録画の問題に対して、連続予約優先設定画面を見ていずれの予約録画を優先するかを設定することが可能であり、予約の再設定等の煩雑な手続を踏むことなく自己の意思を反映させた予約録画の設定を簡易にすることが可能である。
【００４８】
なお、ステップＳ６およびＳ７において予約録画の時刻の変更として例えば、所定期間非優先予約録画の録画内容を短くすることが可能である。具体的には、上述したように予約ＲＡから予約ＲＢへの切り替わりの際の制御データのデータ記録のための数十秒の期間を確保するために非優先予約録画の予約開始時刻を遅めるあるいは予約終了時刻を早める等の処理を行なうものとする。この点で、例えば、予約ＲＡを非優先予約録画、予約ＲＢを優先予約録画に設定したような場合には、予約ＲＡの予約録画の予約設定に関して、図示しないが時刻「１２：５９」を録画終了時刻に制御部２０が計算して自動的に変更する処理を行なうことも可能である。あるいは、制御部２０内部で予約ＲＡから予約ＲＢへの切り替わり際の制御データのデータ記録のための必要な時間分、予約ＲＡの録画終了を早めるように処理することも当然に可能である。
【００４９】
なお、本例においては、一例として、一つ目の予約録画優先が予約ＲＡに対応し、二つ目の予約録画優先が予約ＲＢに対応するものとして説明したが、その反対に一つ目の予約録画優先が予約ＲＢに対応し、二つ目の予約録画優先が予約ＲＡに対応する場合についても同様に適用されるものである。
【００５０】
また、本例においては、主に連続予約録画の場合についてのみ説明したが、予約ＲＡと予約ＲＢとの予約録画期間が重複しているような重複予約録画の場合においても図３で説明したように予約録画の優先の選択指示を促して一方を優先予約録画、他方を非優先予約録画に設定することにより上記と同様の処理を実行することも可能である。
【００５１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５２】
【図１】本発明の実施の形態に従う光ディスク装置の概略ブロック図である。
【図２】本発明の実施の形態に従う予約録画モードにおいて、連続予約録画が選択された場合の制御部の処理を説明するフロー図である。
【図３】本発明の実施の形態に従う連続予約優先設定画面を説明する図である。
【図４】連続予約録画の例を説明する図である。
【図５】連続予約録画を実行した場合における録画内容の欠落を説明する図である。
【符号の説明】
【００５３】
１  光ディスク装置、３  スピンドルモータ、４  光ピックアップ、５  移動モータ、６  レーザ駆動部、７  信号処理部、８  データスライス信号生成部、９  サーボ制御部、１０  映像・音声信号入出力部、１１  リモコン、１２  リモコン受信部、１３  表示部、１５  不揮発メモリ、２０  制御部。
【図１】
2008160559.tif 000003
【図２】
2008160559.tif 000004
【図３】
2008160559.tif 000005
【図４】
2008160559.tif 000006
【図５】
2008160559.tif 000007